(57)【要約】【課題】簡単な構造で押圧部材が移動部材の溝にクリック感を有して嵌入する力量を所望の力量に設定でき、移動部材を確実に移動位置に静止させることができるクリック装置を提供する。【解決手段】操作部材７に配置されるクリック装置５０において、クリック感を生じさせるための押圧部材４０と、押圧部材４０が嵌り込む第１の谷部３１と、該第１の谷部３１の途中から同第１の谷部３１を挟むように該第１の谷部３１に重畳して形成され同第１の谷部３１の開口角より狭い開口角を有する第２の谷部３２とからなる谷部が複数個連設された移動部材２０と、を有することを特徴とする【選択図】図２
2005115167.tif 000002
【特許請求の範囲】
【請求項１】
操作部材に配置されるクリック装置において、
クリック感を生じさせるための押圧部材と、
上記押圧部材が嵌り込む第１の谷部と、該第１の谷部の途中から同第１の谷部を挟むように該第１の谷部に重畳して形成され同第１の谷部の開口角より狭い開口角を有する第２の谷部とからなる谷部が複数個連設された移動部材と、
を有することを特徴とするクリック装置。
【請求項２】
上記押圧部材は、上記第１の谷部及び上記第２の谷部の壁面と点接触する形状を有することを特徴とする請求項１に記載のクリック装置。
【請求項３】
操作部材に配置されるクリック装置において、
複数の移動位置のうちの１つに上記操作部材によって移動させられる移動部材と、
上記移動部材が移動する際にクリック感を生じさせるため、上記移動部材に対し進退する押圧部材と、
上記押圧部材の進退方向に対し所定の斜め角度を以て上記移動部材に設けられ、上記操作部材を上記複数の移動位置の一つに位置させるため、上記押圧部材が当接する第１の面と、
上記第１の面に連なり、上記所定の斜め角度より小さい角度を以て上記移動部材に設けられ、上記操作部材が移動する際に上記押圧部材が当接する第２の面と、
を有することを特徴とするクリック装置。
【請求項４】
操作部材に配置されるクリック装置において、
複数の移動位置の１つに上記操作部材によって移動させられる移動部材と、
上記移動部材が移動する際にクリック感を生じさせるため、上記移動部材に対し進退する押圧部材と、
上記押圧部材の進退方向に対し所定の斜め角度を以て形成され、上記操作部材を上記複数の移動位置の一つに静止させるため上記押圧部材が当接する第１の面と、該第１の面に連なり上記所定の斜め角度より小さい角度を以て形成され、上記操作部材が移動する際に上記押圧部材が当接する第２の面とを有して、上記移動部材に設けられた谷部と、
を有することを特徴とするクリック装置。
【請求項５】
操作部材に配置されるクリック装置において、
複数の移動位置のうちの１つに上記操作部材によって移動させられる移動部材と、
上記移動部材が移動する際にクリック感を生じさせるため、上記移動部材に対し進退する押圧部材と、
上記操作部材を上記複数の移動位置の一つに静止させるため、上記押圧部材の進退方向に対し所定の斜め角度を以て形成され、上記移動部材が移動する際に上記押圧部材と当接する第１の壁面と、該第１の壁面に連なり上記所定の斜め角度より小さい角度を以て形成され、上記操作部材が移動する際に上記押圧部材が当接する第２の壁面とを有して、上記移動部材に設けられた山部と、
を有することを特徴とするクリック装置。
【発明の詳細な説明】
【技術分野】
【０００１】
本発明は、クリック装置、詳しくはクリック用ボール等の押圧部材と複数のクリック溝とから構成され、回動操作ダイヤル等に用いられるクリックストップ機構を有するクリック装置に関する。
【背景技術】
【０００２】
近年、電子機器、例えば小型の精密機器である銀塩カメラやデジタルカメラ等における動作モード及び各種撮影条件の数値を設定するための操作部材としては、回動操作ダイヤルが用いられている。そして、この回動操作ダイヤルの切換設定位置を暫定的に保持するためにクリックストップ機構が使用されるのが一般的である。また、操作ダイヤルの回動はエンコーダ等によって検出されるようになっている。
【０００３】
そして、従来、使用されているクリックストップ装置としては、図４に示すように、外装筐体に設けられたガイド部材１４０に、ボールガイド穴を穿設し、このガイド穴に付勢バネ１３０により付勢された押圧部材である、例えばクリック用のボール１５０を落とし込み、操作ダイヤルに一体的に取り付けられた回動体１００の外周に一定間隔に複数個形成された台形形状を有するクリック溝１２０の一つに、ボール１５０を弾発的に嵌合させるように構成されたクリックストップ機構を有するクリック装置２００が知られている。クリック溝１２０は、谷または山として台形形状に形成されることにより、溝の両側壁部１２１は、ボール１５０の付勢方向に対し所定の角度θ０を以て形成されるので、ボール１５０は、所定の力量を以てクリック感を有してクリック溝１２０に嵌入される。
【０００４】
このクリック装置２００を用いることにより、ボール１５０は、回動体１００が回動する毎に、圧縮・伸張する付勢バネ１３０に押圧され、一定間隔に複数個形成されたクリック溝１２０の一つにクリック感を以て嵌入して停止するため、操作ダイヤルは、クリック溝１２０により規定された所定の切換設定位置に暫定的に保持することができ、また、エンコーダは、回動体１００の回動位置を正確に検出することができる。
【発明の開示】
【発明が解決しようとする課題】
【０００５】
しかしながら、従来の上記クリック装置２００は、クリック溝１２０が、回動体１００の外周縁部に台形形状を有して一定間隔、複数個形成されており、また、図４に示すように、溝１２０と溝１２０との間の山部も、ボール１５０の移動を少なくするために台形形状に形成しているため、その頂部には、平坦面１１０が形成されてしまう。よって、ボール１５０が平坦面１１０に載ったまま停止してしまう虞があり、回動体１００が所定の切換設定位置以外に位置してしまう可能性がある。
【０００６】
このような不具合を除去するために、図４に示すように、隣り合うクリック溝１２０の壁部１２１を延長して溝１２０と溝１２０との間を頂点を丸く加工したコーン形状の山部１２２とし、平坦面１１０を除去した回動体１００の外周形状も考えられる。
【０００７】
しかし、この場合、壁部１２１の長さが非常に大きくなり、山部が高くなってしまうため、ボール１５０の移動量が増えてしまい（Ｓ＞Ｓ０）、付勢バネ１３０の弾発力が弱くなり、ボール１５０がクリック溝１２０に嵌入する際の所望の力量が得られなくなってしまう、また逆に回動体を回動させる際の力量が大きくなり過ぎてしまうといった問題が発生する。
【０００８】
本発明の目的は、上記問題点に鑑みてなされたものであり、簡単な構造で押圧部材が移動部材の溝にクリック感を有して嵌入する力量を所望の力量に設定でき、移動部材を確実に移動位置に静止させることができるクリック装置を提供することにある。
【課題を解決するための手段】
【０００９】
上記目的を達成するために本発明によるクリック装置は、操作部材に配置されるクリック装置において、クリック感を生じさせるための押圧部材と、上記押圧部材が嵌り込む第１の谷部と、該第１の谷部の途中から同第１の谷部を挟むように該第１の谷部に重畳して形成され同第１の谷部の開口角より狭い開口角を有する第２の谷部とからなる谷部が複数個連設された移動部材と、を有することを特徴とし、また、上記押圧部材は、上記第１の谷部及び上記第２の谷部の壁面と点接触する形状を有することを特徴とする。
【００１０】
また、本発明によるクリック装置は、操作部材に配置されるクリック装置において、複数の移動位置のうちの１つに上記操作部材によって移動させられる移動部材と、上記移動部材が移動する際にクリック感を生じさせるため、上記移動部材に対し進退する押圧部材と、上記押圧部材の進退方向に対し所定の斜め角度を以て上記移動部材に設けられ、上記操作部材を上記複数の移動位置の一つに位置させるため、上記押圧部材が当接する第１の面と、上記第１の面に連なり、上記所定の斜め角度より小さい角度を以て上記移動部材に設けられ、上記操作部材が移動する際に上記押圧部材が当接する第２の面と、を有することを特徴とする。
【００１１】
さらに、本発明によるクリック装置は、操作部材に配置されるクリック装置において、複数の移動位置の１つに上記操作部材によって移動させられる移動部材と、上記移動部材が移動する際にクリック感を生じさせるため、上記移動部材に対し進退する押圧部材と、上記押圧部材の進退方向に対し所定の斜め角度を以て形成され、上記操作部材を上記複数の移動位置の一つに静止させるため上記押圧部材が当接する第１の面と、該第１の面に連なり上記所定の斜め角度より小さい角度を以て形成され、上記操作部材が移動する際に上記押圧部材が当接する第２の面とを有して、上記移動部材に設けられた谷部と、を有することを特徴とする。
【００１２】
また、本発明によるクリック装置は、操作部材に配置されるクリック装置において、複数の移動位置のうちの１つに上記操作部材によって移動させられる移動部材と、上記移動部材が移動する際にクリック感を生じさせるため、上記移動部材に対し進退する押圧部材と、上記操作部材を上記複数の移動位置の一つに静止させるため、上記押圧部材の進退方向に対し所定の斜め角度を以て形成され、上記移動部材が移動する際に上記押圧部材と当接する第１の壁面と、該第１の壁面に連なり上記所定の斜め角度より小さい角度を以て形成され、上記操作部材が移動する際に上記押圧部材が当接する第２の壁面とを有して、上記移動部材に設けられた山部と、を有することを特徴とする。
【発明の効果】
【００１３】
本発明のスイッチ装置によれば、簡単な構造で押圧部材が移動部材の溝にクリック感を有して嵌入する力量を所望の力量に設定でき、移動部材を確実に移動位置に静止させることができるクリック装置を提供することができる。
【発明を実施するための最良の形態】
【００１４】
以下、図面を参照して本発明の実施の形態を説明する。尚、本実施の形態においては、クリック装置は、カメラに配設されるクリックストップ機構を有するクリック装置を例に挙げて説明する。
【００１５】
（第１の実施の形態）
図１は、本発明の一実施の形態を示すクリック装置が配設されるカメラを前方左斜め下方から見た斜視図、図２は、図１のカメラに配設されるクリック装置の分解斜視図、図３は、図２のクリック装置の移動体の外周縁部の溝に押圧部材が嵌入した状態を示す部分断面図である。
【００１６】
図１に示すように、カメラ１は、カメラ本体３と該カメラ本体３に着脱される複数のレンズ群２ａを内部に有する撮影レンズ鏡筒２とにより主要部が構成されている。カメラ本体３の前面中央部には、カメラ本体３から前方に突出するように撮影レンズ鏡筒２が装着されており、また、カメラ本体３の下面には、該カメラ本体３に電源を供給するためのバッテリアダプタ６が、カメラ本体３の下面の長手方向に沿うように装着されている。さらに、カメラ本体３の前面左側には、カメラ１を保持するためのグリップ部４がカメラ本体３からＬ字型に前方に突出するようにカメラ本体３と一体に形成されている。
【００１７】
グリップ部４の上面には、撮影動作の開始を指示するためのレリーズ釦５が配設されており、またグリップ部４の前面上部には、カメラ１の動作状態、及び絞り／シャッタスピード等の各種撮影条件の数値を設定する等に用いる回動操作部材（以下、操作ダイヤルと称す）７の回動ダイヤル９が、カメラ本体３のグリップ部４から一部が露出されて配設されている。尚、グリップ部４の内部には、後述するクリック装置５０（図２参照）と該クリック装置５０の移動体の位置を検出する図示しないエンコーダが配設されている。
【００１８】
クリック装置５０は、図２に示すように、操作部材である操作ダイヤル７と、移動部材である回動体２０と、押圧部材である例えばクリック用の球状のボール（以下、ボールと称す）４０と、該ボール４０に一端４１ａが当接する付勢バネ４１と、該付勢バネ４１とボール４０が嵌入されるガイド部材４５とにより主要部が構成されている。
【００１９】
操作ダイヤル７は、円板状の回動ダイヤル９と、短筒形状を有するダイヤル軸８とにより主要部が構成されており、該ダイヤル軸８は、同ダイヤル軸８の上半部が、回動ダイヤル９の回動中心である中央部に該回動ダイヤル９を貫通するように形成された貫通孔９ａに挿通されて、回動ダイヤル９に固定されている。尚、回動ダイヤル９とダイヤル軸８とは一体に形成されていてもよい。
【００２０】
また、ダイヤル軸８の下半部には、回動体２０の軸孔２０ａに挿通される、例えば断面形状が小判形状を有する係合部８ａがダイヤル軸に沿って形成されている。
【００２１】
このように構成された操作ダイヤル７は、回動ダイヤル９が操作されることにより、回動体２０の後述する複数の溝の位置に対応する複数の移動位置（切換設定位置）の一つに後述する機構によりクリック感を以て暫定的に静止（停止）される。
【００２２】
回動体２０は、例えば略円形の板状部材で形成されており、回動体２０の回動中心である中央部には、回動体２０を貫通するように形成されダイヤル軸８の係合部８ａが嵌入される、例えば小判形状を有する軸孔２０ａが形成されている。軸孔２０ａにダイヤル軸８の係合部８ａが嵌入されると、係合部８ａは、軸孔２０ａに対し、該軸孔２０ａの内面により回動方向に固定される。よって、回動体２０は、操作ダイヤル７の回動ダイヤル９が回動されることにより、回動ダイヤル９と一体的に回動する。
【００２３】
また、回動体２０の外周縁部には、複数の溝を構成する谷部３３が形成されている。谷部３３は、図３に示すように、ボール４０が嵌り込む（落とし込まれる）第１の谷部３１と、該第１の谷部３１の途中から同第１の谷部３１を挟むように該第１の谷部３１に重畳して形成され同第１の谷部３１の開口角θ１より狭い開口角θ２を有する第２の谷部３２とからなる谷部３３が複数個連設されて主要部が構成されている。
【００２４】
詳しくは、谷部３３は、ボール４０の進退方向Ａに対し所定の鈍角である斜め角度θ１を以て回動体２０に設けられ、操作ダイヤル７（図１，図２参照）を上記複数の移動位置の一つに静止させるため、ボール４０が当接する第１の（壁）面３１と、該第１の（壁）面３１に連なり、所定の斜め角度θ１より小さい鋭角である角度θ２を以て回動体２０に設けられ、操作ダイヤル７が移動する際に、ボール４０が当接する第２の（壁）面３２とにより主要部が構成されている。
【００２５】
さらに詳しくは、操作ダイヤル７を上記複数の移動位置のうちの１つに静止させるため、ボール４０の進退方向Ａに対し所定の斜め角度θ１を以て形成され、回動体２０が移動する際にボール４０と当接する第１の壁面３１と、該第１の壁面３１に連なり所定の斜め角度θ１より小さい角度θ２を以て形成され、操作ダイヤル７が移動する際に、ボール４０が当接する第２の壁面３２とにより複数の溝を構成する山部３７が形成され、回動体２０の外周面に形成されている。
【００２６】
また、谷部３３または山部３７が上述したような形状を有することにより、隣り合う谷部３３との間、または隣り合う山部３７との間は、図３に示すように、頂点が丸く加工さされたコーン形状を有する頂部３６が形成されている。
【００２７】
このように構成された回動体２０は、該回動体２０に形成された複数の谷部３３または山部３７の対応する切換設定位置に操作ダイヤル７を後述するクリック感を以て移動させる。
【００２８】
カメラ本体３のグリップ部４の内部に配設されたガイド部材４５には、付勢バネ４１が嵌入され、付勢バネ４１の他端４１ｂが底面４６ａに当接する付勢バネ４１の外径よりもやや大きな径であってボール４０が精密に嵌合する径を有する円筒状の嵌入溝４６が形成されている。また、ガイド部材４５の付勢バネ４１が嵌入する側の外表面には、回動体２０がガイド部材４５に接触するのを防ぐための回動体２０よりも高さ方向（嵌入溝の深さ方向）にやや大きな厚みを有する切り欠き溝４７が、回動体２０の回動方向に沿って形成されている。また、ガイド部材４５は、ボール４０が、回動体２０の谷部３３に嵌入した際、図３に示すようにボール４０の回動方向の位置を規定する。
【００２９】
付勢バネ４４は、他端４１ｂが嵌入溝４６の底面４６ａ（図３参照）に当接して嵌入溝４６に嵌入される。また、付勢バネ４４の一端４１ａには、ボール４０が戴置され、ボール４０が、回動体２０の谷部３３に嵌入した際、ボール４０を谷部３３に付勢する。即ち、付勢バネ４４は、ボール４０を谷部３３に弾発的に嵌合させる。
【００３０】
ボール４０は、付勢バネ４４に付勢されて回動体２０の谷部３３の第１の谷部３１に点で接触して弾発的に嵌入しており、回動体２０が回動する際に付勢バネ４４に付勢されて、回動体２０の谷部３３に対しクリック感を有して進退する。また、ボール４０は、上述したように、谷部３３への当接面が円形状を有する、例えば球で形成されている。
【００３１】
次に、このように構成されたクリック装置５０のクリックストップ機構を図３を用いて説明する。 
谷部３３の第１の谷部３１に点で接触され、嵌入されたボール４０は、操作ダイヤル７が回動操作されると、谷部３３の第２の谷部３２に点で接触し、図３に示す位置ａから、頂部３６を介して隣り合う谷部３３の第２の谷部３２に点で接触した後、隣り合う谷部３３の第１の谷部３１と点で接触する。即ち位置ｂに移動する。
【００３２】
この際、ボール４０は、付勢バネ４４に付勢され、回動体２０の外周面の谷部３３に対して進退する。また、隣合う谷部３３の間は、頂点が丸く加工されたコーン形状を有する頂部３６が形成されているため、ボール４０は、位置ａと位置ｂとの間において停止することなく位置ａから位置ｂに移動される。
【００３３】
また、谷部３３は、鈍角θ１を有する第１の谷部３１と鋭角θ２を有する第２の谷部３２とにより構成されていることから、ボール４０が第１の谷部３１から頂部３６に移動する際の移動量Ｓ１は、図４に示した、ボール１５０が溝１２０から山部１２２に移動する際の移動量Ｓよりも小さく（Ｓ＞Ｓ１）なる。さらに、移動量Ｓ１は、ボールが図４に示す台形形状を有する溝１２０を移動するときの移動量Ｓ０よりやや大きい程度である。
【００３４】
このように、本発明の一実施の形態を示すクリック装置５０においては、回動体２０が回動する毎、即ち、操作ダイヤル７の回動ダイヤル９が回動される毎、ボール４０がクリック感を以て谷部３３の第１の谷部３１に確実に嵌入することができる。よって、操作ダイヤル７は、複数の谷部３３の任意の１つの谷部に対応する位置、即ち所定の位置に操作ダイヤル７を回動させる毎に確実に暫定的な静止位置が規定される。この規定された位置を、図示しないエンコーダが検出することにより、操作ダイヤル７を回動させる毎にカメラ１の動作状態、及び絞り／シャッタスピード等の各種撮影条件の数値を設定することができる。
【００３５】
また、回動体２０の外周縁部に形成される谷部３３は、鈍角θ１を有する第１の谷部３１と鋭角θ２を有する第２の谷部３２とにより構成されていることから、隣合う谷部３３との間は、頂点が丸く加工されたコーン形状を有する頂部３６が形成されているため、ボール４０は、位置ａと位置ｂとの間において停止することがない。
【００３６】
さらに、ボール４０が図３に示す位置ａから位置ｂに移動する際の第１の谷部３１から頂部３６までの移動量Ｓ１は、図４に示した、溝１２０から平坦部１１０までの移動量Ｓ０よりやや大きい程度であるため、付勢バネ１３０の弾発力が若干の増加しかしないので、ボール４０が第１の谷部３１に嵌入する際に所望の力量を得ることができる。また、ボール４０が回動体２０の谷部３３にクリック感を有して嵌入する力量は、第１の谷部３１の鈍角θ１と第２の谷部３２の鋭角θ２とを変更するだけで所望の力量に設定することができる。
【００３７】
尚、本実施の形態においては、押圧部材は、球状を有するボールであると示したが、これに限らず、上述した第１の谷部３１及び第２の谷部３２の壁面と点接触する形状を有するものであれば、どのような形状を有していても良い。
【００３８】
また、移動部材としては、回動体を示したが、これに限らず直線形状を有するスライド溝形状を有していても良いことは云うまでもない。
【００３９】
さらに、クリック装置は、操作ダイヤル７の回動ダイヤル９を回動させることによりカメラの動作状態、及び絞り／シャッタスピード等の各種撮影条件の数値を設定する等に用いると示したが、これに限らず、いかなるクリックストップ機構に用いても本実施の形態と同様の効果が得られるということは勿論である。
【図面の簡単な説明】
【００４０】
【図１】本発明の一実施の形態を示すクリック装置が配設されるカメラを前方左斜め下方から見た斜視図。
【図２】図１中のカメラに配設されるクリック装置の分解斜視図。
【図３】図２中のクリック装置の移動体の外周縁部の溝に押圧部材が嵌入した状態を示す部分断面図。
【図４】従来のクリック装置の移動体の溝形状を示した部分断面図。
【符号の説明】
【００４１】
７…操作ダイヤル（操作部材）
２０…回動体（移動部材）
３１…第１の谷部（第１の面）（第１の壁面）
３２…第２の谷部（第２の面）（第２の壁面）
３３…谷部
３４…山部
４０…ボール（押圧部材）
５０…クリック装置
代理人    弁理士    伊藤  進
【図１】
2005115167.tif 000003
【図２】
2005115167.tif 000004
【図３】
2005115167.tif 000005
【図４】
2005115167.tif 000006